(57)【要約】【課題】無電解めっき廃液に含まれるリン酸類、有機酸類などを効率良く除去することができ、しかも特定成分を選択的に除去することも可能な新規な無電解めっき液の処理方法を提供する。【解決手段】次亜リン酸塩を還元剤とする無電解めっき液の廃液のｐＨを調整した後、長鎖アルキルアミン系抽出剤を含む有機溶媒と接触させ、その後有機相と水相に分離し、再度、無電解ニッケル液の廃液からなる水相のｐＨ値を調整し、長鎖アルキルアミン系抽出剤を含む有機溶媒と接触させる工程を繰り返すことを特徴とする無電解めっき廃液の処理方法。【選択図】図１
2005042183.tif 000002
【特許請求の範囲】
【請求項１】
次亜リン酸塩を還元剤とする無電解めっき液の廃液のｐＨを調整した後、長鎖アルキルアミン系抽出剤を含む有機溶媒と接触させ、その後有機相と水相に分離し、再度、無電解めっき液の廃液からなる水相のｐＨ値を調整し、長鎖アルキルアミン系抽出剤を含む有機溶媒と接触させる工程を繰り返すことを特徴とする無電解めっき廃液の処理方法。
【請求項２】
無電解めっき液の廃液のｐＨを１〜３に調整する請求項１に記載の方法。
【請求項３】
請求項１又は２の方法によって無電解めっき液の廃液中の酸成分濃度を低下させた後、該廃液中の金属イオンを除去することを特徴とする無電解めっき廃液の処理方法。
【請求項４】
廃液中の金属イオンを除去する方法が、該廃液をキレート系抽出剤及び酸性抽出剤を含む有機溶媒からなる抽出液と接触させる方法である請求項３に記載の方法。
【請求項５】
請求項４の方法で金属イオンを抽出した抽出液を溶離液と接触させて、該抽出液中の金属イオンを溶離液中に逆抽出した後、該溶離液を長鎖アルキルアミン系抽出剤を含む有機溶媒と接触させることにより、該溶離液中の硫酸イオンを除去することを特徴とする金属分の回収方法。
【請求項６】
次亜リン酸塩を還元剤とする無電解めっき液を、亜リン酸が優先的に抽出されるｐＨ値に調整した後、長鎖アルキルアミン系抽出剤を含む有機溶媒と接触させ、その後有機相と水相に分離し、再度、無電解めっき液からなる水相のｐＨを亜リン酸が優先的に抽出されるｐＨ値に調整し、長鎖アルキルアミン系抽出剤を含む有機溶媒と接触させる工程を繰り返すことを特徴とする無電解めっき液の再生方法。
【請求項７】
請求項６の方法で無電解めっき液を処理した後、めっき液の組成を調整することを特徴とする無電解めっき液の再生方法。
【請求項８】
無電解めっき液が、無電解ニッケルめっき液である請求項１〜７のいずれかに記載の方法。
【請求項９】
ｐＨ調整槽と、抽出操作のための反応槽と、水相と油相を分離するための油水分離槽を有し、該ｐＨ調整槽においてｐＨ調整されためっき液を該反応槽に供給する経路、抽出液を該反応槽に供給する経路、該反応槽中の反応液を該油水分離槽に供給する経路、及び該油水分離槽中で分離された水相を該ｐＨ調整槽に供給する経路を備えた抽出装置。
【発明の詳細な説明】
【技術分野】
【０００１】
本発明は、無電解めっき廃液の処理方法、無電解めっき液の再生処理方法、及びこれらの方法に使用できる抽出装置に関する。
【背景技術】
【０００２】
従来、無電解ニッケルめっき廃液の処理方法としては、以下に示す各種方法が知られているが、それぞれ改善すべき問題点がある。
【０００３】
（イ）中和沈殿法：
廃液をアルカリ性にして金属水酸化物を形成させる中和沈殿法では、廃液中に無機系のCOD物質や金属有機錯体が多量に含まれているため、金属水酸化物の生成が妨げられ、凝集沈殿処理が満足すべき程度に行われ難い。また、BODおよびCODの処理も充分には行われない。
【０００４】
（ロ）生物学的酸化法：
微生物の存在下に廃液の空気曝気を行う生物学的酸化法（活性汚泥法など）では、有機系物質は処理できるものの、無機系のCOD物質や重金属は殆ど処理できない。
【０００５】
（ハ）電気的酸化分解法：
廃液を電気的に酸化分解する方法によれば、重金属の処理は可能であるが、無機系のCOD物質等を充分に処理することができないので、処理液が高いCOD値を示すことになる。
【０００６】
その他に、下記特許文献１には、溶媒抽出法を利用した化学めっき廃液の処理方法が開示されている。この方法では、無電解ニッケルめっき廃液中に含まれる有機酸およびリン酸類をイオン交換で処理しているため、抽出剤中の陰イオン（鉱酸イオン）が廃液中に蓄積する。このため、鉱酸イオンを取り除かないと運転操作が困難になり、これを除去するための処理が更に必要になる。しかも、抽出量は抽出剤濃度で大きく左右されるため、特定抽出物の抽出量の制御範囲が狭く、また、特定のリン酸類を分離することは困難である。
【０００７】
一方、無電解ニッケルめっき液中に蓄積した副生物などを除去して、無電解ニッケルめっき液を長寿命化する方法としては、次亜リン酸ニッケルを用いた電気透析法が知られている。この方法は、イオン交換膜を介して電気透析を行う方法であり、再生された無電解めっき液の浴組成がほとんど変動しないために、良好なめっき液として再利用が可能である。
【０００８】
しかしながら、再生に用いる次亜リン酸ニッケルが高価であり、イオン交換膜の劣化が生じるために、コストが高くイオン交換膜の取り扱いが難しい等の問題点がある。更に、再生されためっき液は安定ではあるが、亜リン酸が再生液中に混在しており、常に、老化状態であるという欠点がある。
【特許文献１】特開２００３−８０２６８号公報
【発明の開示】
【発明が解決しようとする課題】
【０００９】
本発明は、上記した従来技術の現状に鑑みてなされたものであり、その主な目的は、無電解めっき廃液に含まれるリン酸類、有機酸類などを効率良く除去することができ、しかも特定成分を選択的に除去することも可能な新規な無電解めっき液の処理方法を提供することである。
【課題を解決するための手段】
【００１０】
本発明者は、上記した目的を達成すべく鋭意研究を重ねてきた。その結果、長鎖アルキルアミン系抽出剤は、無電解めっき液中に含まれるリン酸類を未解離の酸の状態で抽出することができ、めっき廃液のｐＨ値を適切な範囲に調整してリン酸類の解離状態を制御することによって、特定の成分を効率良く分離除去できることを見出した。そして、この様な長鎖アルキルアミン系抽出剤の特性を利用することによって、無電解めっき液の廃液処理、再利用などが可能となることを見出し、ここに本発明を完成するに至った。
【００１１】
即ち、本発明は、下記の無電解めっき廃液の処理方法、無電解めっき液の再生処理方法、及びこれらの方法に使用できる抽出装置を提供するものである。
１．  次亜リン酸塩を還元剤とする無電解めっき液の廃液のｐＨを調整した後、長鎖アルキルアミン系抽出剤を含む有機溶媒と接触させ、その後有機相と水相に分離し、再度、無電解めっき液の廃液からなる水相のｐＨ値を調整し、長鎖アルキルアミン系抽出剤を含む有機溶媒と接触させる工程を繰り返すことを特徴とする無電解めっき廃液の処理方法。
２．  無電解めっき液の廃液のｐＨを１〜３に調整する上記項１に記載の方法。
３．  上記項１又は２の方法によって無電解めっき液の廃液中の酸成分濃度を低下させた後、該廃液中の金属イオンを除去することを特徴とする無電解めっき廃液の処理方法。
４．  廃液中の金属イオンを除去する方法が、該廃液をキレート系抽出剤及び酸性抽出剤を含む有機溶媒からなる抽出液と接触させる方法である上記項３に記載の方法。
５．  上記項４の方法で金属イオンを抽出した抽出液を溶離液と接触させて、該抽出液中の金属イオンを溶離液中に逆抽出した後、該溶離液を長鎖アルキルアミン系抽出剤を含む有機溶媒と接触させることにより、該溶離液中の硫酸イオンを除去することを特徴とする金属分の回収方法。
６．  次亜リン酸塩を還元剤とする無電解めっき液を、亜リン酸が優先的に抽出されるｐＨ値に調整した後、長鎖アルキルアミン系抽出剤を含む有機溶媒と接触させ、その後有機相と水相に分離し、再度、無電解めっき液からなる水相のｐＨを亜リン酸が優先的に抽出されるｐＨ値に調整し、長鎖アルキルアミン系抽出剤を含む有機溶媒と接触させる工程を繰り返すことを特徴とする無電解めっき液の再生方法。
７．  上記項６の方法で無電解めっき液を処理した後、めっき液の組成を調整することを特徴とする無電解めっき液の再生方法。
８．  無電解めっき液が、無電解ニッケルめっき液である上記項１〜７のいずれかに記載の方法。
９．  ｐＨ調整槽と、抽出操作のための反応槽と、水相と油相を分離するための油水分離槽を有し、該ｐＨ調整槽においてｐＨ調整されためっき液を該反応槽に供給する経路、抽出液を該反応槽に供給する経路、該反応槽中の反応液を該油水分離槽に供給する経路、及び該油水分離槽中で分離された水相を該ｐＨ調整槽に供給する経路を備えた抽出装置。
【００１２】
本発明では、処理対象となる無電解めっき液は、還元剤として次亜リン酸塩を含有するめっき液である。この様な無電解めっき液としては、無電解ニッケルめっき液、無電解銅めっき液、無電解コバルトめっき液、無電解パラジウムめっき液などを例示できる
この様な無電解めっき液中には、次亜リン酸の他に、これが酸化されて生じた亜リン酸等のリン酸類や、添加剤成分に基づく有機酸等が含まれる。本発明方法によれば、処理液のｐＨを適正値に制御することによって、無電解めっき液から、リン酸類、有機酸類などの酸成分を効率よく除去して、廃液処理を行うことができる。また、亜リン酸が優先的に抽出されるｐＨ値に調整して抽出処理を行うことにより、亜リン酸を選択的に除去して、無電解めっき液を再生し長寿命化することができる。
【００１３】
以下、本発明の処理方法について、具体的に説明する。
【００１４】
抽出剤
本発明方法では、抽出剤として、長鎖アルキルアミン系抽出剤を用いる。この様な抽出剤としては、例えば、一般式
【００１５】
【化１】
2005042183.tif 000003
（式中、Ｒ1、Ｒ2及びＲ3は、同一又は異なって、それぞれ、水素原子又は炭素数１〜２４のアルキル基である。但し、Ｒ1、Ｒ2及びＲ3のうちの少なくとも一個はアルキル基であって、Ｒ1、Ｒ2及びＲ3の合計炭素数は１８以上である。）
で表される長鎖アルキルアミンを挙げることができる。
【００１６】
上記炭素数１〜２４のアルキル基は、直鎖状又は分岐鎖状のいずれでも良い。特に、アルキル基の炭素数は、４〜１２程度が好ましい。
【００１７】
長鎖アルキルアミン系抽出剤は、１級、２級及び３級アミンのいずれでも良いが、特に、水に溶解し難い３級アミンが好ましい。この様な抽出剤の内で、特に、トリ−ｎ−オクチルアミンが好ましい。
【００１８】
上記した長鎖アルキルアミン系抽出剤は、有機溶媒に溶解して抽出液として用いる。有機溶媒としては、水溶液である無電解めっき液には、ほとんど溶解しないものであればよく、更に、第３相が生じ難いものが好ましい。この様な有機溶媒としては、例えば、ケロシン等の石油系溶媒、ヘキサン、トルエンなどの炭化水素系溶媒、ドデカノール等の高級アルコール系溶媒等を挙げることができるが、これらの限定されるものではない。また、有機溶媒は、無電解めっき液との分離性を向上させる目的等により、二種以上を適宜混合して用いてもよい。
【００１９】
有機溶媒に溶解させる長鎖アルキルアミン系抽出剤の濃度については、抽出する酸濃度を考慮すれば良く、特に限定されるものではないが、通常、０．１モル／ｌ程度以上とすればよい。これを下回る濃度では、無電解めっき廃液中に含まれる酸濃度に対して抽出剤濃度が低すぎるため、酸の抽出量が少なく、抽出処理時間が長くなるので実用的ではない。特に、抽出量、操作性等を考慮すれば、抽出剤濃度は０．５〜１モル／ｌ程度とすることが好ましい。
【００２０】
無電解めっき液の廃液処理方法
（１）酸成分除去：
無電解めっき液の廃液処理を行う場合には、無電解めっき液のｐＨを１〜３程度の範囲内に調整した後、長鎖アルキルアミン系抽出剤を含む抽出液に該めっき液を接触させればよい。ｐＨ調整には、硫酸、塩酸等の鉱酸を用いればよく、硫酸を用いることが好ましい。このｐＨ範囲内であれば、無電解めっき液中に含まれる次亜リン酸、亜リン酸、リン酸などのリン酸類、有機酸類などが長鎖アルキルアミン系抽出剤によって抽出されて、有機相中に移動する。実際の抽出時には、具体的なｐＨ値によって優先的に抽出される成分が異なるが、上記したｐＨ範囲において抽出操作を繰り返すことによって、徐々に他のリン酸類、有機酸類なども除去されるので、必要とされる濃度になるまで抽出操作を繰り返すことにより、リン酸類、有機酸類等の酸成分の濃度を減少させることができる。ｐＨ値が上記範囲より低い場合には、硫酸の抽出が優先的に起こり、有機酸の抽出反応に使用される抽出剤の見かけの濃度が減少するため、非効率であると共に処理コストの増加となり、経済的に不利である。抽出効率と経済性などの面から、好ましいｐＨ領域は１〜２程度である。
【００２１】
ｐＨ調整の方法については、特に限定的ではなく、抽出操作中にｐＨを管理して、上記範内に維持しても良いが、通常、抽出操作は強い撹拌下に行うので、抽出操作中にｐＨを調整することは実用的ではない。従って、実際の操作方法としては、抽出操作を行う前に無電解めっき液のｐＨ値を上記範囲内に調整し、その後抽出操作を行い、次いで、有機相と水相に分離し、再度、無電解めっき液である水相のｐＨを上記範囲内に調整して抽出操作を行い、この工程を必要な回数繰り返せばよい。
【００２２】
抽出操作の方法については、無電解めっき液と抽出液とを十分に接触させることが可能な方法であればよく、通常、撹拌装置を用いて無電解めっき液と抽出液とを十分に混合すればよい。抽出時の処理温度については特に限定的ではないが、通常、室温で抽出処理を行えばよい。
【００２３】
抽出操作を行うことにより、酸成分が除去されて徐々にｐＨ値が上昇し、ｐＨが３を上回る場合があるが、この場合には、酸の抽出量はｐＨの上昇と共に減少し、最終的にはほとんど抽出されなくなる。
【００２４】
従って、実際の操作では、酸成分の除去効率等を考慮して適切な抽出時間を決定し、抽出操作後、水相と油相に分離し、再度上記範囲に水相のｐＨを調整して、抽出操作を行えば良い。この様な方法で、ｐＨ調整と抽出操作を繰り返し行うことにより、リン酸類、有機酸類などを効率良く除去することができる。この操作は、無電解めっき液中に含まれる酸成分の量などに応じて、目的とする酸濃度となるまで繰り返し行えばよい。
【００２５】
尚、上記処理に用いた抽出液については、水酸化ナトリウム、水酸化カリウム等のアルカリを含む水溶液からなる溶離液と接触させることによって、抽出液中に含まれるリン酸類、有機酸類などの酸成分が溶離液中に逆抽出されて、抽出液として無電解めっき液の処理に再利用することができる。溶離液としては、操作性の面より、特に、水酸化ナトリウム水溶液が好ましい。
【００２６】
溶離液中のアルカリ濃度については、特に限定的ではないが、通常、５〜１０モル／ｌ程度とすれば良い。処理方法については、抽出液と溶離液とを十分に接触させることが可能な方法であれば良く、通常、撹拌装置を用いて抽出液と溶離液とを充分に混合すればよい。処理温度については、通常、室温で行うことができる。処理時間については、処理対象とする廃液の量、濃度等の処理条件によって異なるので、処理条件に応じて適宜決めればよい。
【００２７】
以上の方法によってリン酸類及び有機酸類の含有量を減少させた無電解めっき液は、ＣＯＤ値が大きく低下する。この様なめっき液について、更に、必要に応じて、金属イオンを除去することによって、無電解ニッケルめっき液中の金属量を低減させて、めっき廃液の排出基準を満足することが可能となる。
【００２８】
（２）金属イオン抽出除去：
上記した方法で酸成分の除去処理を行った無電解めっき廃液から金属イオンを除去する方法については、特に限定的ではなく常法に従えばよい。尚、上記した方法で酸成分を除去した後、金属イオンを除去することにより、酸成分を除去することなく直接金属イオンを除去する場合と比較して、金属イオンの除去を短時間で行うことが可能となる。
【００２９】
以下、無電解ニッケルめっき液に含まれるニッケルイオンの除去方法の一例を具体的に説明する。
【００３０】
まず、必要に応じて、酸成分の除去処理を行った無電解ニッケルめっき廃液のｐＨ調整を行う。適当なｐＨ値は、処理対象とするめっき液の組成などによって異なるので、予め予備実験を行って適切なｐＨ値を決定すればよい。通常、ニッケルイオンを抽出する場合には、ｐＨ値を６〜１０程度に調整すればよい。ｐＨ調整は、例えば、水酸化ナトリウム、水酸化カリウム、アンモニア水等を用いて行うことができる。
【００３１】
次いで、処理対象とする無電解ニッケルめっき液を、キレート系抽出剤と酸性抽出剤を含有する抽出液と接触させて、めっき液中に含まれるニッケルイオンを抽出除去する。
【００３２】
抽出液としてはキレート系抽出剤と酸性抽出剤をケロセン、ヘキサン、ベンゼン等の有機溶媒に溶解した溶液を用いることができる。キレート系抽出剤と酸性抽出剤の濃度については、特に限定的ではないが、通常、キレート系抽出剤濃度０．０５〜２モル／ｌ程度と酸性抽出剤濃度０．０２５〜０．５モル／ｌ程度とすればよい。
【００３３】
処理方法については、無電解ニッケルめっき液と抽出液とを十分に接触させることが可能な方法であれば良く、通常、撹拌装置を用いて無電解ニッケルめっき液と抽出液とを充分に混合すればよい。
【００３４】
処理温度については、通常、室温で行うことができる。処理時間については、処理対象とする廃液の量、濃度や抽出剤の濃度等の処理条件によって異なるので、処理条件に応じて適宜決めればよい。
【００３５】
ニッケルイオン除去処理は、目的とするニッケルイオン濃度になるまで、繰り返し行うことができる。抽出操作を繰り返し行う場合には、各抽出操作の前に、無電解ニッケルめっき廃液のｐＨを上記した６〜１０の範囲に調整することが好ましい。
【００３６】
この処理を行うことによって、無電解ニッケルめっき液中のニッケルイオン濃度を所定の排出基準まで減少させることができる。
【００３７】
尚、ニッケルイオン除去処理に用いた抽出液は、硫酸、塩酸、硝酸等の鉱酸を含む水溶液からなる溶離液と接触させることによって、抽出液中に含まれニッケルイオンが、溶離液中に逆抽出されて、無電解ニッケルめっき液の処理に再利用することができる。溶離液中の酸濃度については、特に限定的ではないが、通常、０．５〜６モル／ｌ程度とすれば良い。
【００３８】
処理方法については、抽出液と溶離液とを十分に接触させることが可能な方法であれば良く、通常、撹拌装置を用いて抽出液と溶離液とを充分に混合すればよい。処理温度については、通常、室温で行うことができる。処理時間については、処理対象とする廃液の量、濃度等の処理条件によって異なるので、処理条件に応じて適宜決めればよい。
【００３９】
ニッケルイオンを逆抽出した溶離液は、濃縮されたニッケルイオン含有液であり、分離回収されたニッケルイオンは、濃度が高いために、有価物として回収、再利用できる。
【００４０】
得られたニッケルイオン含有液は、通常、硫酸などの鉱酸成分を高濃度に含有するものとなる。この溶液を無電解ニッケルめっき液のニッケル源とし再使用する場合に、そのまま希釈して無電解ニッケルめっき液の成分を添加すると、イオン強度が高くめっき速度が遅くなり、操業するには実際的ではない。この場合には、上記した長鎖アルキルアミン系抽出剤を含む抽出液を用い、ｐＨ調整することなく繰り返し抽出操作を行えばよい。この様な方法によれば、めっき液のｐＨが徐々に上昇して水相中の硫酸等の鉱酸成分を除去することができる。その結果、硫酸等の鉱酸分の含有量が少ない良好なニッケル含有液として回収でき、無電解ニッケルめっき液のニッケル源などとして有効に利用できる。
【００４１】
その他の無電解めっき液についても、同様の方法を適用することによって、金属分の除去及び回収が可能である。無電解ニッケルめっき廃液以外の無電解めっき廃液については、金属イオンの種類、めっき液の組成などによって適切なｐＨ値が異なる場合があるので、予め予備実験を行って抽出操作の際のｐＨ値を決定すればよい。
【００４２】
無電解めっき液の再生方法
無電解めっき液では、還元剤として用いる次亜リン酸の酸化生成物である亜リン酸が蓄積すると析出速度、皮膜特性などに悪影響がある。このため亜リン酸が蓄積した無電解めっき液については、通常、一部更新するか、全量更新する等の処置が行われている。
【００４３】
本発明によれば、無電解めっき液のｐＨ値を亜リン酸を優先的に抽出するために適した値に調整して、長鎖アルキルアミン系抽出剤を含む抽出液を用いて抽出操作を行うことにより、亜リン酸を優先的に抽出除去できる。この様な方法によれば、無電解めっき液を再生して長寿命化することが可能となる。尚、この再生処理では、液中に含まれる亜リン酸が次亜リン酸の濃度より低いほど効率よく亜リン酸を優先的に抽出分離でき、めっき液中の次亜リン酸や金属分などの有効成分を効率的に再利用できる。このため、再生処理は、亜リン酸濃度が次亜リン酸濃度と同程度となるまでに行うことが好ましい。
【００４４】
再生処理は、亜リン酸を優先的に抽出できるｐＨ値に無電解めっき液を調整した後、長鎖アルキルアミン系抽出剤を含む有機溶媒と接触させることによって行うことができる。
【００４５】
抽出操作を行う際の具体的なｐＨ値については、抽出液中の長鎖アルキルアミン系抽出剤の濃度によって異なるが、長鎖アルキルアミン系抽出剤は未解離の酸を抽出するので、抽出剤とリン酸類との逐次反応を考慮した平衡定数に基づいて、亜リン酸を優先的に抽出するために適したｐＨ値を決めることができる。下記表１に、トリ−ｎ−オクチルアミン（TOA）を抽出剤として用いた場合の室温における次亜リン酸、亜リン酸及びリン酸の平衡定数を示す。
【００４６】
【表１】
2005042183.tif 000004
この平衡定数に基づいて特定の成分を優先的に抽出するためのｐＨ値を決定する方法について、以下に簡単に説明する。
【００４７】
具体例として、亜リン酸の場合を示す。
【００４８】
亜リン酸の抽出は逐次反応で起こり、抽出種は未解離の酸である。表１に抽出錯体AB、A2B2およびA3B2を記載しているように、亜リン酸を抽出する場合には、以下の反応が起こる。
A+B ⇔ AB                   ;K11          （1）
AB+AB ⇔  A2B2              ;K22          （2）
A2B2 + A ( A3B2              ;K32           (3)
ここで、Aは未解離の酸、Bは抽出剤を示す。
それぞれの平衡定数は次式で表される。
K11 =CAB / (CACB)                           (4)
K22 = CA2B2 / (K112CA2CB2)                    (5)
K32 = CA3B2 / (K112K22CA3CB2)                  (6)
ここで、上式のCは濃度を示す。
抽出剤と抽出された次亜リン酸のマスバランスは次式で表される。
CB,0 = CB + K11CACB +2 K112K22CA2CB2 + 2K112K22K32CA3CB2 (7)
CA,org = K11CACB + 2K112K22CA2CB2 + 3K112K22K32CA3CB2 (8)
ここで、下付の0は初期状態、orgは抽出剤中の状態を示し、K11、K22およびK32は表1に示す値である。
【００４９】
(7)式をフリーな抽出剤濃度（CB）について解くと、次式が得られる。
【００５０】
【数１】
2005042183.tif 000005
（9）式中のCB,0は、任意に設定した抽出液中の抽出剤の初期濃度である。（9）式を（8）式に代入すると次式が得られる。
【００５１】
【数２】
2005042183.tif 000006
(10)式は平衡後の水相の濃度を任意に設定したとき、有機相へ移動する酸の濃度を決定できるものである。そのときのpHは設定した平衡後の水相中の未解離の次亜リン酸濃度に依存し、次式で近似できる。
【００５２】
【数３】
2005042183.tif 000007
ここで、Ka1は公知の値であり、亜リン酸の場合Ka1の数値は0.03162である。よって（10）および（11）式を用いることで、ある抽出剤濃度の場合において、水相中の未解離の亜リン酸濃度と有機相へ抽出された亜リン酸濃度と水相中のpHが決定されるものである。つまり、ある特定の抽出剤濃度において、未解離の亜リン酸の濃度を変化させる場合に、その変化に対応したpHと抽出される亜リン酸濃度を決定することが出来る。この計算を行うことによって、任意に抽出剤濃度を設定した場合において、適切な廃液中のpHを決定することが出来る。
【００５３】
例えば、抽出剤濃度が０．１〜１モル／ｌ程度の範囲内にある場合には、亜リン酸を優先的に抽出するためには、無電解ニッケルめっき液、即ち、水相のｐＨを１．３〜２．４程度の範囲内で適切な値に設定すればよい。具体的には、抽出剤濃度が１モル／ｌ程度の場合には、ｐＨ１．３〜２．４程度の範囲が適当であり、抽出剤濃度が０．１モル／ｌ程度の場合には、ｐＨ１．４〜１．８程度が適当である。
【００５４】
具体的な抽出操作としては、無電解めっき液のｐＨを調整した後、長鎖アルキルアミン系抽出剤を含む抽出液に該めっき液を接触させればよい。ｐＨ調整には、硫酸、塩酸等の鉱酸を用いればよく、特に硫酸を用いることが好ましい。
【００５５】
ｐＨ調整の方法については、特に限定的ではないが、実際の操作方法としては、上記した廃液処理方法の場合と同様に、無電解めっき液のｐＨ値を調整した後抽出操作を行い、次いで、有機相と水相に分離し、再度、無電解めっき液である水相のｐＨ値を調整した後、抽出操作を行い、この処理工程を必要な回数繰り返せばよい。
【００５６】
抽出操作の方法については、無電解めっき液と抽出液とを十分に接触させることが可能な方法であればよく、通常、撹拌装置を用いて無電解めっき液と抽出液とを十分に混合すればよい。液温は、通常、室温でよい。
【００５７】
抽出操作の時間については、上記した酸成分の除去の場合と同様に、亜リン酸の除去効率等を考慮して適切な抽出時間を決定すればよく、抽出操作終了後、水相と油相に分離し、再度上記範囲にｐＨを調整して、抽出操作を繰り返せばよい。この様な方法でｐＨ調整と、抽出操作を繰り返し行うことにより、亜リン酸を効率良く除去することができる。
【００５８】
抽出操作により亜リン酸が優先的に抽出されるが、この操作を繰り返すと、亜リン酸と共に次亜リン酸も減少し、最終的には、めっき液中の亜リン酸及び次亜リン酸がほぼ完全に抽出される。従って、めっき液中の亜リン酸濃度が目的とする程度まで低下した段階で抽出操作を終了することにより、金属イオン、次亜リン酸などの有用成分が残存する無電解ニッケルめっき液を得ることができる。
【００５９】
処理後のめっき液については、更に必要に応じて、不足する有効成分を添加する等してめっき液の組成を調整することにより、無電解めっき液として再利用することができる。この様な方法により、無電解めっき液を長寿命化することができる。
【００６０】
尚、上記処理に用いた抽出液については、上記した廃液処理の場合と同様に、水酸化ナトリウム、水酸化カリウム等のアルカリを含む水溶液からなる溶離液と接触させることによって、抽出液中に含まれるリン酸類、有機酸類などの酸成分が、溶離液中に逆抽出されて、無電解めっき液の処理に再利用することができる。
【００６１】
抽出装置
本発明の無電解めっき液の廃液処理方法及び再生方法において、抽出操作に用いる抽出装置については特に限定はなく、ｐＨ調整槽、抽出操作のための反応槽、及び水相と油相を分離するための油水分離槽を備えたものであればよい。
【００６２】
特に、ｐＨ調整機構を有するｐＨ調整槽と、抽出操作のための反応槽と、水相と油相を分離するための油水分離槽を有し、該ｐＨ調整槽においてｐＨ調整されためっき液を該反応槽に供給する経路、抽出液を該反応槽に供給する経路、該反応槽中の反応液を該油水分離槽に供給する経路、及び該油水分離槽中で分離された水相を該ｐＨ調整槽に供給する経路を備えた抽出装置によれば、循環型の連続抽出処理を行うことができ、ｐＨ調整槽、反応槽及び分離槽をそれぞれ１個ずつ用いるだけでよく、抽出装置を単純化して低コスト化することができる。また、抽出操作の間、処理対象の無電解めっき液が循環処理されるので、系外に排出されることがない点でも有利である。
【００６３】
以下、この様な循環型連続抽出装置の具体的な構成について、その一例の概略図を示す図１に基づいて説明する。
【００６４】
図１の装置では、まず、処理対象の無電解めっき液（Ａ）をｐＨ調整槽１に導入し、所定のｐＨ値に調整する。ｐＨ値は、無電解めっき液の廃液処理、亜リン酸の除去による再生処理など抽出処理の目的に応じて適当な値に設定すればよい。
【００６５】
ｐＨ調整槽１には、自動的に所定のｐＨ値に調整できる機構を備えることが好ましい。この様なｐＨ調整機構としては、例えば、攪拌機２及びｐＨ検出器３を設けておき、ｐＨ検出器３より得られた信号に基づいて、コントローラー４を介してｐＨ調整用ポンプ５を制御し、自動的に無電解めっき液（Ａ）のｐＨを調整できる構造などとすればよい。
【００６６】
ｐＨ調整を終えためっき液（Ａ）は、ライン６及びポンプ７を経て反応器１０中に導入される。また抽出液（Ｃ）は、タンク１１からライン８及びポンプ９を経て、反応器１０中に導入される。めっき液（Ａ）及び抽出液（Ｂ）を反応器１０に導入した後、反応器１０において両溶液を混合する。反応器１０の構造については、特に限定的ではなく、両液を十分に混合できる構造の撹拌混合装置であればよい。反応器１０では、抽出反応を良好に制御するためには、液温を一定温度に保つことが好ましいが、特に限定されるものではない。
【００６７】
所定の時間混合した溶液は反応器１０の上部より排出され、セトラー１２に送られる。逆ミセル等の油水分離を阻害する生成物がなければ、直ちに油水分離が行われ、連続的に油水分離することが出来る。逆ミセルが形成され油水分離が困難な場合は、例えば、ドデカノール等の高級アルコールを添加すれば、油水分離が容易になる。
【００６８】
セトラー１２に導入された混合溶液は、無電解めっき液からなる水相と抽出液からなる油相とに分離する。混合溶液をセトラー１２に導入する場合には、水相と油相の界面部分、或いは、界面付近の水溶液中に導入することが好ましい。
【００６９】
油水分離された水相（無電解めっき液）はセトラー下部からライン１３及びポンプ１４を経て、ｐＨ調整槽１に導かれ、再び所定のｐＨ値に調整される。
【００７０】
ｐＨ調整された無電解めっき液は、ライン６及びポンプ７を経て反応器１０中に導入され、更に、抽出液（Ｃ）もライン８及びポンプ９を経て反応器１０中に導入されて、再度、抽出操作が行われる。
【００７１】
セトラー１２で分離された油相中に水溶液が分散している場合には、更に、別のセトラーに導いて油水分離を行っても良い。この際、分離された水溶液については、ｐＨ調整槽１に送って、再度ｐＨ調整して抽出操作を行えばよい。
【００７２】
上記した一連の操作は、無電解めっき液の酸濃度が、目的とする値に低下するまで繰り返し行えばよい。
【００７３】
無電解めっき液の廃液処理を行う場合には、上記した方法で酸成分を除去しためっき液を、金属イオンの除去処理を行うための抽出工程に送ればよい。金属イオンの抽出工程では、図１に示す酸成分の抽出装置と同様の構成の装置を用いて循環型の抽出処理を行ってもよく、或いは複数の抽出装置を用いて、連続的に抽出処理を行っても良い。
【００７４】
亜リン酸濃度を低下させることによる無電解めっき液の再生を行う場合には、処理されためっき液に、更に、必要な有効成分を添加して濃度調整をすることによって、無電解めっき液として再利用できる。
【００７５】
尚、図１に示す装置では、セトラー１２上部で分離された抽出液については、ライン１５及びポンプ１６を経て、抽出液中に含まれるリン酸類、有機酸類などの酸成分を逆抽出するための反応器１９に導入される。逆抽出に用いる溶離液（Ｄ）は、ライン１７及びポンプ１８を経て、反応器１９中に導入される。両溶液を導入した後、反応器１９において両溶液を混合する。撹拌混合された溶液は、反応器１９の上部より排出されてセトラー２０に送られる。結晶が析出する場合はセトラーに導く前に濾過し、結晶物を別途に回収することが好ましい。このとき用いる濾布は、例えば、孔径が１０μｍ程度であることが好ましい。
【００７６】
セトラー２０で分離された溶液は、上部が再生された抽出液、下部が酸成分を含む溶離液となる。再生された抽出液は、ライン２１及びポンプ２２を経て、タンク１１へ返送して再利用される。結晶が生じる場合は、例えば、２００μｍ程度の孔径の濾布を通してタンク１１に返送すればよい。
【００７７】
この様な構成の装置によれば、抽出液は、抽出操作および再生操作を経て閉鎖的に循環することとなる。
【００７８】
一方、油水分離した溶離液はライン２３及びポンプ２４を経て、タンク２５へ返送され、閉鎖型の循環を辿ることとなる。
【００７９】
抽出液の再生操作は、抽出液中の酸成分濃度が十分に低下するまで、繰り返し行えばよい。溶離液中のアルカリ成分濃度は徐々に低下するので、再使用する場合は再びアルカリ成分を添加することが好ましい。溶離液を排出する場合は、希釈して生物酸化処理することが望ましい。溶離液中の有価物の回収は全操作終了時に行うのが最も良いが、操作途中に回収することも可能である。
【００８０】
上記した抽出装置は、本発明の無電解めっき液の廃液処理、再生処理などに適した装置であるが、その他、ｐＨを一定範囲に維持して連続的に抽出を行う場合に、有効に利用することができる。この様な抽出処理としては、上記した無電解めっき液からの酸成分の抽出、無電解めっき液からの金属イオンの抽出等の他に、発酵溶液からの酸抽出、鉱石浸出液からの金属抽出等の一般に原料を製造する場合の精製処理や、無電解めっき液以外の各種廃液からの有用成分の抽出処理などを挙げることができる。
【発明の効果】
【００８１】
本発明によれば、以下の様な顕著な効果が奏される。
【００８２】
（１）本発明の無電解めっき液の廃液処理方法によれば、めっき廃液中に含まれるリン酸類、有機酸類などの酸成分を効率よく除去することができる。従って、酸成分を除去した後、抽出法などによって金属イオンを除去することにより、無電解めっき液中の金属量、ＣＯＤ値、含リン化合物量などを低減させて、めっき廃液の排出基準を満足することができる。
【００８３】
また、抽出された金属イオンを溶離液中に濃縮して再利用することが可能であり、廃液の処理コストを軽減することができる。
【００８４】
（２）無電解めっき液中に含まれる亜リン酸を優先的に抽出除去する方法によれば、無電解めっき液から亜リン酸を効率良く除去して、めっき液の再生が可能であり、簡単な方法でめっき液の長寿命化が図れる。
【００８５】
（３）本発明の抽出装置は、上記した無電解めっき液の廃液処理、再生処理などに適した装置であり、処理液を循環させて抽出処理を行う構成であるため、処理槽の数が少なく単純な構造であり、低コスト化された装置である。
【００８６】
また、該抽出装置では、抽出操作の間、処理対象の無電解めっき液が循環処理されるので、系外に排出されることがない。
【００８７】
更に、抽出液を再生して循環再利用可能な構造とすることができ、処理費用を低減できる。
【発明を実施するための最良の形態】
【００８８】
以下、実施例を挙げて本発明を更に詳細に説明する。
【実施例１】
【００８９】
トリ−ｎ−オクチルアミンを０．９７１モル／ｌの濃度でトルエンに溶解した溶液を抽出液として用い、図１に示す構造の装置により、無電解ニッケルめっき液中の酸成分を連続的に抽出処理した。
【００９０】
ｐＨ調整槽では、硫酸を添加して無電解ニッケルメッキ液のｐＨを１に調整し、その後反応器に供給した。反応器には無電解ニッケルめっき液と抽出液を同体積ずつ供給し、反応器中での両液の接触時間は、１３秒とした。抽出処理は室温で行った。
【００９１】
上記した条件で抽出処理を行った後、セトラーで油水分離し、更に、水相をｐＨ調整槽に送り、再度ｐＨを１に調整して上記した抽出操作を繰り返した。
【００９２】
図２は、連続的に抽出処理した場合について、無電解ニッケルめっき廃液中における各種酸の濃度の変化を示すグラフである。図２中の横軸の処理数はｐＨ調整タンク中の仕込みの廃液の体積が全て入れ替わった回数であり、縦軸のCA,aqは廃液中に残存している酸濃度を示す。図２中の0［回］は処理前の廃液中の酸濃度である。
【００９３】
いずれの酸についても、水相のｐＨを1に調整して、正抽出を繰り返すことで処理回数と共に効率よく濃度が低下していることが分かる。処理後の廃液中の濃度は次亜リン酸が0.008モル／ｌ、亜リン酸が0.012モル／ｌ、それ以外の酸は検出限界以下の濃度であった。
【００９４】
また、抽出液については、セトラー１２で分離した後、反応器１９中で水酸化ナトリウム水溶液を用いて再生処理を行い、セトラー２０で分離して、抽出液タンク１１に送って循環利用した。その結果、抽出処理前の抽出液中のトリ−ｎ−オクチルアミン濃度と、処理後のトリ−ｎ−オクチルアミン濃度がほぼ同一となり、充分に再生されていることが確認できた。
【００９５】
比較として、図１に示す構造の装置を用い、ｐＨ調整することなく無電解ニッケルめっき液中の酸成分を連続的に抽出処理した。抽出液としてはトリ−ｎ−オクチルアミンを０．７モル／ｌの濃度でトルエンに溶解した溶液を用いた。無電解めっき液の処理前のｐＨは２．４８であった。その他の条件は上記実施例と同様とした。
【００９６】
図３の上図は、連続的に抽出処理した場合について、無電解ニッケルめっき廃液のｐＨ変化を示すグラフであり、図３の下図は、無電解ニッケルめっき廃液中の各種酸の濃度の変化を示すグラフである。これらのグラフから、処理回数が増えると共に廃液中のｐＨが上昇し、処理回数２回目程度まで廃液中の酸が抽出されているが、その後処理回数を増やしても廃液中の酸はほとんど抽出されなくなっていることが判る。
【００９７】
この結果から、廃液中のｐＨがある程度まで上昇すると、それに対応して酸が抽出されなくなるため、廃液中の酸を効率よく抽出するためには、常にｐＨを低く維持して抽出しなければならないことが分かる。
【実施例２】
【００９８】
図１に示す構造の装置を用い、無電解ニッケルめっき液中の亜リン酸を優先的に抽出処理した。
【００９９】
処理対象の無電解ニッケルめっき液は、亜リン酸の蓄積量の比較的少ないめっき液であり、トリ−ｎ−オクチルアミンを約１モル／ｌの濃度でトルエンに溶解した溶液を抽出液として用い、ｐＨ調整槽では硫酸を添加して無電解ニッケルめっき液のｐＨを１．８に調整し、その後反応器に供給した。その他の処理条件は、実施例１と同様とした。
【０１００】
図４は、連続的に抽出処理した場合について、無電解ニッケルめっき液中における亜リン酸と次亜リン酸の濃度変化を示すグラフである。図４中の横軸の処理数はｐＨ調整タンク中の仕込みの液の体積が全て入れ替わった回数であり、縦軸のCA,aqはめっき液中に残存している酸濃度を示す。
【０１０１】
この結果から、亜リン酸及び次亜リン酸は、処理回数が増えると共にめっき液から抽出され、処理回数4回目では、めっきを阻害する亜リン酸がほぼ抽出され、次亜リン酸がめっき液中に残存している状態であり、処理回数１２回程度では、亜リン酸及び次亜リン酸ほぼ完全に抽出されていることがわかる。
【０１０２】
従って、処理回数４回程度で抽出処理を終了することにより、無電解ニッケルめっき液から亜リン酸を選択的に除去して、めっき液を長寿命化することが可能である。
【実施例３】
【０１０３】
実施例１の方法で酸成分を除去した後、以下の方法で廃液中のニッケルの抽出処理を行った。
【０１０４】
抽出装置としては、図１に示す構造の装置を用い、5-ドデシルサリチルアルドオキシムを約0.05モル/ｌ及びビス-2-エチルヘキシルリン酸を約0.025モル/ｌの濃度でケロシンに溶解した溶液を抽出液として用いた。
【０１０５】
ｐＨ調整槽では、アンモニア水を添加して廃液のｐＨを9に調整し、その後反応器に供給した。反応器には廃液と抽出液を同体積ずつ供給し、反応器中での両液の接触時間は、１2秒とした。抽出処理は室温で行った。
【０１０６】
上記した条件で抽出処理を行った後、セトラーで油水分離し、更に、水相をｐＨ調整槽に送り、再度ｐＨを9に調整して上記した抽出操作を繰り返した。
【０１０７】
この抽出操作を１７回繰り返すことにより、廃液中のニッケル濃度は１ｐｐｍ以下となった。
【０１０８】
その後、溶離液として、硫酸を０．５モル／ｌ含む水溶液を用い、ニッケルの抽出処理に用いた抽出液から、溶離液中にニッケルを逆抽出した。この様にして得られた溶離液は、ニッケルを約９５００ｐｐｍ含み、更に、硫酸を０．５モル／ｌ含む溶液であった。この溶離液について、以下の方法で硫酸を抽出除去した。
【０１０９】
抽出液としては、トリ−ｎ−オクチルアミンを１モル／ｌの濃度でトルエンに溶解した溶液を用い、ｐＨ調整を行うことなく、その他の処理条件は、実施例１と同様として抽出処理を行った。
【０１１０】
図５は、連続的に抽出処理した場合について、処理対象の溶離液中のニッケルイオン、硫酸イオン及びプロトンの濃度変化を示すグラフである。この結果から、抽出処理を行うことにより溶離液中のプロトン及び硫酸イオンは徐々に減少し、処理回数が増加するとほとんど抽出が起こらなくなることわかる。この時点のｐＨ値は約４．５であった。
【０１１１】
処理した溶液の最終的な濃度はニッケルが9100ppm、硫酸が1.1×10-5モル／ｌであり、硫酸濃度の低い良好なニッケル水溶液として回収することができた。
【図面の簡単な説明】
【０１１２】
【図１】循環型連続抽出装置の構成の一例を示す概略図。
【図２】実施例１において連続的に抽出処理した場合について、無電解ニッケルめっき廃液中における各種酸の濃度変化を示すグラフ。
【図３】実施例１においてｐＨを調整することなく連続的に抽出処理した場合について、無電解ニッケルめっき廃液中の各種酸の濃度変化を示すグラフ。
【図４】実施例２において連続的に抽出処理した場合について、無電解ニッケルめっき液中の亜リン酸と次亜リン酸の濃度変化を示すグラフ。
【図５】実施例３において連続的に抽出処理した場合について、処理対象の溶離液中のニッケルイオン、硫酸イオン及びプロトンの濃度変化を示すグラフ。
【符号の説明】
【０１１３】
１：ｐＨ調整槽、２：攪拌機、３：pH検出器。４：コントローラー、
５：ｐＨ調整ポンプ、６：ライン、７：ポンプ、８：ライン、
９：ポンプ、１０：反応器、１１：タンク、１２：セトラー、
１３：ライン、１４：ポンプ、１５：ライン、１６：ポンプ、
１７：ライン、１８：ポンプ、１９：反応器、２０：セトラー、
２１：ライン、２２：ポンプ、２３：ライン、２４：ポンプ、２５：タンク
【図１】
2005042183.tif 000008
【図２】
2005042183.tif 000009
【図３】
2005042183.tif 000010
【図４】
2005042183.tif 000011
【図５】
2005042183.tif 000012